(57)【特許請求の範囲】
【請求項１】
基地局装置と、当該基地局装置に隣接する隣接基地局装置とを含む通信システムにおいて、
当該通信システムは、
複数の前記基地局装置の識別番号が変更される場合、前記識別番号の変更を行う前記基地局装置の順番を決定し、
前記基地局装置の識別番号が変更される場合、前記隣接基地局装置に対して、当該隣接基地局装置の通信エリアが前記基地局装置の通信エリアを覆うまで前記隣接基地局装置の送信電力を前記識別番号の変更前に上げるよう指示する送信電力制御部を有し、
前記隣接基地局装置は、前記指示によって、自局の送信電力を上げる
通信システム。
【請求項２】
前記順番は、前記基地局装置の送信電力の大きさの情報、または、前記基地局装置と通信を行っている端末の数の情報、を基に優先的に決定される請求項１に記載の通信システム。
【請求項３】
基地局装置と当該基地局装置に隣接する隣接基地局装置とを制御する制御装置において、
複数の前記基地局装置の識別番号が変更される場合、前記識別番号の変更を行う前記基地局装置の順番を決定し、
前記基地局装置の識別番号が変更される場合、前記隣接基地局装置に対して、当該隣接基地局装置の通信エリアが前記基地局装置の通信エリアを覆うまで前記隣接基地局装置の送信電力を前記識別番号の変更前に上げるよう指示する
制御装置。
【発明の詳細な説明】
【技術分野】
【０００１】
本発明は、通信システム、制御装置及び基地局装置に関し、特に、通信システムにおける基地局装置の識別番号の変更に関連する通信システム、制御装置及び基地局装置に関する。
【背景技術】
【０００２】
次世代の世界標準の無線通信方式として、ＬＴＥ（Long Term Evolution）システムが３ＧＰＰ（3rd Generation Partnership Project）で標準化されている。３ＧＰＰ及びＭＧＭＮ（Next Generation Mobile Networks）は、ＬＴＥシステムにおいて、オペレータの運用コスト削減やネットワークの自動最適化などを目的とするＳＯＮ（Self Organizing Network）を協議している。ＳＯＮの機能は、設計（Planning）、展開（Development）、最適化（Optimization）、運用（Maintenance）という４つのカテゴリに分類されるものである。ＳＯＮの機能が、無線パラメータの最適化やネットワークパラメータの最適化、干渉制御、ネイバーセルリストの追加などのネットワークの効率的な運用・構築・計画に採用されることで、ネットワークの安定性の実現に期待が寄せられている。特に、従来オペレータが手作業で行っていた業務の自動化により、自己設定プロセスや自己最適化プロセスが実現されると、ネットワーク運用コストを最小限にすることが可能となる。自己設定プロセスは、新規に基地局装置ｅＮＢ（evolved Node B）を設置する際に、システム運用のために必要となる基本的なパラメータを自動的に取得して設定するプロセスとして定義されるものである。この自己設定プロセスは、主に基地局装置が運用状態になる前に動作するプロセスとして考えられている。自己最適化プロセスとは、端末ＵＥ（User Equipment）や基地局装置からの統計データを基にネットワークの自動調整を実施するプロセスとして定義されるものである。この自己最適化プロセスは、ＲＦ装置の起動後に開始し、基地局装置が運用状態であるときに動作するプロセスとして考えられている。自己最適化プロセスの例としては、隣接基地局リストの最適化があげられる。
【０００３】
ＳＯＮのより具体的な考え方の一つには、基地局装置のセルに、セルの識別番号であるＰＣＩ（Physical Cell ID）を自動的に設定することがあげられる。ＰＣＩとは、セルに欠くことのできないパラメータであり、端末がセルと同期をとるために必要となる。ＬＴＥの仕様であるＥ−ＵＴＲＡＮ（Evolved Universal Terrestrial Radio Access Network）では、固有なＰＣＩの数は５０４個と限られているため、セルが５０４個を越えると、異なるセルで同じＰＣＩを割り当てる必要がでてくる。しかし、同じＰＣＩを有するセル同士が近い位置に存在すると、セル間で通信の干渉が生じてしまい、通話やハンドオーバが不可能になるおそれがある。そのため、各セルに割り当てられるセルは、（１）セルのＰＣＩは、基地局装置に隣接する基地局装置のセルのＰＣＩと同一でないこと、（２）セルのＰＣＩは、基地局装置に隣接する基地局装置に更に隣接する基地局装置のセルのＰＣＩと同一でないこと、の２つの条件を満たす必要がある。基地局装置は、隣接基地局装置のセルのＰＣＩの情報を、各基地局装置が有する隣接基地局リスト（ネイバーセルリスト）から得ることができる。
【０００４】
現在、新規に基地局装置を設置する際に、基地局装置が自律的に自セルのＰＣＩを選択して自動設定するフレームワークが３ＧＰＰで提案されている（例えば、非特許文献１参照）。具体的には、基地局装置は、自セルのＰＣＩを、Centralized PCI assignment algorithm（集中型ＰＣＩ割り当てアルゴリズム）又はdistributed PCI assignment algorithm（分散型ＰＣＩ割り当てアルゴリズム）によって選択することになる。Centralized PCI assignment algorithmでは、ＯＡＭ（Operation Administration and Maintenance）により、固有のＰＣＩが基地局装置へ知らされ、基地局装置はそのＰＣＩを自セルのＰＣＩとして設定する。一方、distributed PCI assignment algorithmでは、ＯＡＭにより、使用可能なＰＣＩが羅列されているＰＣＩリストが基地局装置へ知らされる。基地局装置は、そのリストの中から不適切なＰＣＩを取り除き、リスト内の残ったＰＣＩから任意に選択し、自セルのＰＣＩとして設定する。
【０００５】
また、上記のCentralized PCI assignment algorithm又はdistributed PCI assignment algorithmのように、新規基地局装置の起動前にＰＣＩを設定する方法ではなく、新規基地局装置の起動後にＰＣＩを設定する方法も提案されている（例えば、非特許文献２参照）。まず、新規基地局装置が、コンフィグレーションフェーズで５０４個のＰＣＩ候補から、任意に選択した値をtemporary PCIとして選択して起動する。その後、新規基地局装置は、ＡＮＲ（Automatic Neighbor Relation Function）によって、端末から報告される隣接基地局装置の情報を得て、隣接基地局リストを作成する。新規基地局装置は、更に、隣接基地局装置から、隣接基地局装置が有する隣接基地局リストを取得する。そして、新規基地局装置は、作成した隣接基地局リストと取得した隣接基地局リストとから、上述の２つの条件（１）及び（２）を満足するＰＣＩを再選択する。
【先行技術文献】
【非特許文献】
【０００６】
【非特許文献１】3GPP TS 36.300 22.3.5 Framework for PCI Selection
【非特許文献２】3GPP R3-080376:SON Use Case: Cell Phy ID Automated Configuration
【発明の概要】
【発明が解決しようとする課題】
【０００７】
しかし、非特許文献１に記載されているCentralized PCI assignment algorithm又はdistributed PCI assignment algorithmでは、ＰＣＩ自動設定方法のフレームワークが示されているに過ぎず、上記の条件（１）及び（２）を満たすＰＣＩをどのように見つけ出すかについての詳細なアルゴリズムについては示されていない。そのため、条件（１）及び（２）を満たさないＰＣＩが、新規基地局装置に割り当てられることがあり、この場合、ＰＣＩの再設定が必要となる。再設定するためには、基地局装置は再起動して、新たなＰＣＩで無線チャネルを報知する必要がある。非特許文献２に記載の方法でも、Temporary PCIから条件（１）及び（２）を満たすＰＣＩに変更する際に、基地局装置の再起動が必要となる。基地局装置が再起動する間は、リンク断が生じ、カバレッジ（通信エリア）に穴（通信不能エリア）が発生してしまうことになる。そのため、再起動中の基地局装置のセル内に存在する端末の通信エリアは限定されることになる。
【０００８】
また、非特許文献１及び２の方法は、新規に基地局装置を設置する場合のＰＣＩの設定に関するものであり、既に設定されているＰＣＩを変更することまでは考慮されていない。しかし、上記の条件（１）及び（２）を満たすＰＣＩが存在しない場所に新規基地局装置を設置しなければいけない場合は、既存の基地局装置のＰＣＩの変更が必要となる。既存の基地局装置のＰＣＩの変更が必要となるのは、例えば、端末の総数の増加により、基地局装置の数が不足した場合や、高層ビルの建設により、高層ビルの影が原因となり通信不能エリアが発生してしまった場合などである。このようなカバレッジの補完や拡張などのために、基地局装置は、自セルのＰＣＩを自己最適化プロセスとして変更しなければならない場合がある。更に、マルチベンダ基地局装置の配置等が原因で発生する障害を理由に、既存の基地局装置の変更が必要となる場合もある。これらの場合も、基地局装置の再起動が必要となり、カバレッジに穴が発生することになる。
【０００９】
従って、上記のような従来技術の問題点に鑑みてなされた本発明の目的は、カバレッジに穴を発生させることなく、基地局装置のＰＣＩを変更することが可能な通信システム、制御装置及び基地局装置を提供することにある。
【課題を解決するための手段】
【００１０】
上述した諸課題を解決すべく、第１の観点による通信システムは、
基地局装置と、当該基地局装置に隣接する隣接基地局装置とを含む通信システムにおいて、
当該通信システムは、
複数の前記基地局装置の識別番号が変更される場合、前記識別番号の変更を行う前記基地局装置の順番を決定し、
前記基地局装置の識別番号が変更される場合、前記隣接基地局装置に対して、当該隣接基地局装置の通信エリアが前記基地局装置の通信エリアを覆うまで前記隣接基地局装置の送信電力を前記識別番号の変更前に上げるよう指示する送信電力制御部を有し、
前記隣接基地局装置は、前記指示によって、自局の送信電力を上げる
ものである。
【００１４】
また、前記順番は、前記基地局装置の送信電力の大きさの情報、または、前記基地局装置と通信を行っている端末の数の情報、を基に優先的に決定されることが望ましい。
【００１６】
上述した諸課題を解決すべく、第２の観点による制御装置は、
基地局装置と当該基地局装置に隣接する隣接基地局装置とを制御する制御装置において、
複数の前記基地局装置の識別番号が変更される場合、前記識別番号の変更を行う前記基地局装置の順番を決定し、
前記基地局装置の識別番号が変更される場合、前記隣接基地局装置に対して、当該隣接基地局装置の通信エリアが前記基地局装置の通信エリアを覆うまで前記隣接基地局装置の送信電力を前記識別番号の変更前に上げるよう指示する
ものである。
【発明の効果】
【００１９】
上記のように構成された本発明にかかる通信システム、制御装置及び基地局装置によれば、基地局装置の識別番号の変更前に、送信電力制御部又は送信電力手段によって、隣接基地局装置の送信電力が、隣接基地局装置の通信エリアが基地局装置の通信エリアを覆うまで上がるので、カバレッジに穴を発生させることなく識別番号を変更することが可能である。
【図面の簡単な説明】
【００２０】
【図１】図１は、本発明の一実施形態に係る通信システムの全体像を示す概略構成図である。
【図２】図２は、基地局装置のＰＣＩの変更方法を示すフローチャートである。
【図３】図３は、基地局装置のＰＣＩの変更方法を示す説明図である。
【図４】図４は、ＰＣＩの変更が必要となる状況を示す説明図である。
【発明を実施するための形態】
【００２１】
以下、本発明の実施の形態について、図面を参照して説明する。
【００２２】
図１は、本発明の一実施形態に係る通信システムの全体像を示す概略構成図である。本発明の通信システム１０１は、基地局装置１０３と、隣接基地局装置１０５と、外部制御装置１０７（請求項における送信電力制御部を有する制御装置）とを有する。
【００２３】
基地局装置１０３及び隣接基地局装置１０５は、携帯電話端末（図示せず）と通信を行うもので、ＬＴＥシステムでは、ｅＮＢと称される。基地局装置１０３が携帯電話端末と通信できるエリア（請求項における通信エリア）を示すセルは、図１では基地局装置１０３を囲む六角形で表されている。隣接基地局装置１０５は、基地局装置１０３の周囲の基地局装置であり、各隣接基地局装置１０５のセル（各基地局装置１０５を囲む六角形で表される範囲）は、基地局装置１０３のセルに隣接している。基地局装置１０３のセル及び隣接基地局装置１０５のセルには、それぞれＰＣＩ（請求項における識別番号）が割り当てられている。このＰＣＩにより、端末は、基地局装置を特定し、通信を行うことができる。基地局装置１０３は、隣接基地局装置１０５のセルにどのＰＣＩが割り当てられているかを示す隣接基地局リストを有している。隣接基地局装置１０５は、当該隣接基地局装置１０５に隣接する隣接基地局装置（図示せず）のＰＣＩに関する隣接基地局リストを有している。
【００２４】
外部制御装置１０７は、基地局装置１０３及び隣接基地局装置１０５から構成される通信システム１０１全体を管理及び制御するものであり、例えば、ＥＭＳ（Element Management System：エレメント管理システム）やＮＭＳ（Network Management System：ネットワーク管理システム）である。より詳細には、外部制御装置１０７は、隣接基地局装置１０５に対して、端末と通信を行うために送信する電波の送信電力を上げるよう指示したり、基地局装置１０３に対して、ＰＣＩの変更に伴う運転の停止又は開始を指示したりする。外部制御装置１０７は、隣接基地局装置１０５の送信電力を上げるタイミングや、基地局装置１０３が運転を停止又は開始するタイミングを制御することにより、ＰＣＩの変更前に、送信電力の引き上げによって、隣接基地局装置１０５のセルの範囲を拡大させることができる。隣接基地局装置１０５の拡大されたセルが、基地局装置１０３のセルに重なっていれば、基地局装置１０３がＰＣＩの変更のために運転を停止したとしても、カバレッジに穴が発生することがない。
【００２５】
図１の基地局装置１０３及び隣接基地局装置１０５が起動している状況で、通信システム１０１が、基地局装置１０３のＰＣＩを変更する方法について、図２及び図３を参照して説明する。図２は、基地局装置のＰＣＩの変更方法を示すフローチャートであり、図３は、基地局装置のＰＣＩの変更方法を示す説明図である。
【００２６】
外部制御装置１０７は、管理及び制御している基地局装置１０３及び隣接基地局装置１０５から、それぞれの隣接基地局リストと、各基地局装置が端末と通信を行うために送信する電波の送信電力の情報を含むPerformance Measurement（統計データ）とを受信する（ステップＳ１０１）。ステップＳ１０１は、ＰＣＩの変更が必要な基地局装置が存在しない間は（ステップＳ１０２Ｎｏ）、定期的に繰り返される。
【００２７】
ＰＣＩの変更が必要な基地局装置が存在すると（ステップＳ１０２Ｙｅｓ）、外部制御装置１０７は、ＰＣＩ変更処理を開始する。
【００２８】
外部制御装置１０７は、ＰＣＩの変更処理が必要な基地局装置及び新たに割り当てるＰＣＩを決定する（ステップＳ１０３及び図３（ａ）−１）。ＰＣＩの変更が必要な基地局装置が複数存在する場合は、ＰＣＩの変更が必要な基地局装置全てに対してＰＣＩを決定して、更にＰＣＩの変更を行う順番についても決定しておく。外部制御装置１０７は、運用サービスへの影響が少ないと思われる基地局装置から優先的にＰＣＩを変更させることができ、例えば、送信電力の大きさや、基地局装置と通信を行っている端末の数などの情報を基に順番を決定することができる。新たに割り当てるＰＣＩは、（１）新たに割り当てるＰＣＩは、基地局装置に隣接する基地局装置のセルのＰＣＩと同一でないこと、（２）新たに割り当てるＰＣＩは、基地局装置に隣接する基地局装置に更に隣接する基地局装置のセルのＰＣＩと同一でないこと、という２つの条件を満足する必要がある。ＰＣＩの変更が必要な基地局装置が基地局装置１０３であるとすると、新たに割り当てるＰＣＩは、基地局装置１０３が有する隣接基地局リスト及び隣接基地局装置１０５が有する隣接基地局リストの双方に存在しない値であれば、上記の２つの条件を満たすことになる。
【００２９】
外部制御装置１０７は、ＰＣＩが変更される基地局装置１０３に新たなＰＣＩを通知し、予閉塞を指示する（ステップＳ１０４）。予閉塞とは、接続中の呼については強制切断せずに、回線切断を待ってから通信機能を停止させることである。
【００３０】
続いて、外部制御装置１０７は、基地局装置１０３に隣接する隣接基地局装置１０５に対して、隣接基地局装置１０５のセルが基地局装置１０３のセルを覆うことができるまで送信電力を上げるよう指示する（ステップＳ１０５及び図３（ａ）−２〜７）。この間、基地局装置１０３では、予閉塞への移行が進んでいる（図３（ａ）から（ｂ）への移行８）。
【００３１】
隣接基地局装置１０５が、上述のように送信電力を上げることにより、基地局装置１０３が運転を停止しても、通信システム１０１におけるカバレッジが維持されることになる。なお、隣接基地局装置１０５は、ビームフォーミングを用いて基地局装置１０３のセルを覆うこともできる。ビームフォーミングとは、電波の指向性制御により特定の方向に送信電力を集中させる（特定の方向への送信電力を上げる）ことで、各基地局装置間の電波干渉を減らし、より柔軟なカバレッジエリアの構築を可能にする技術である。
【００３２】
図３（ｂ）−９に示されるように、外部制御装置１０７は、隣接基地局装置１０５の送信電力の引き上げ及び基地局装置１０３の予閉塞が完了したか否かを判断する（ステップＳ１０６）。
【００３３】
予閉塞が完了した後（ステップＳ１０６のＹｅｓ）、基地局装置１０３は、新たなＰＣＩで再起動するための準備を行う（図３（ｂ）から（ｃ）への移行１０）。基地局装置１０３は、ＰＣＩを新たなＰＣＩに変更し、再起動の準備完了後、基地局装置１０３は、外部制御装置１０７に新たなＰＣＩで再起動が可能な状態であることを通知する（ステップＳ１０７及び図３（ｃ）−１１）。
【００３４】
外部制御装置１０７は、通知を受け取ると、基地局装置１０３に、新たなＰＣＩで再起動するよう指示する（ステップＳ１０８及び図３（ｃ）−１１）。
【００３５】
基地局装置１０３は、新たなＰＣＩで再起動するよう指示を受けると、運転を停止し、再起動する（図３（ｃ）から（ｄ）への移行１２）。再起動後、新たなＰＣＩが基地局装置１０３のセルに割り当てられ、基地局装置１０３は、ＰＣＩの変更処理が完了したことを外部制御装置１０７に通知する（ステップＳ１０９及び図３（ｄ）−１３）。外部制御装置１０７は、基地局装置１０３に新たなＰＣＩで運転を再開するよう指示し（ステップＳ１１０）、基地局装置１０３は、再び端末と通信することが可能となる。
【００３６】
外部制御装置１０７は、隣接基地局装置１０５に送信電力を元に戻すよう指示する（ステップＳ１１１及び図３（ｄ）−１４〜１９）。なお、隣接基地局装置１０５が送信電力を元に戻すタイミングは、外部制御装置１０７からの指示に限定されるわけではない。例えば、隣接基地局装置１０５が、タイマーを有し、再起動にかかる時間以上の時間がタイマーに設定されている場合は、隣接基地局装置１０５はタイマーが終了したタイミングで送信電力を元に戻すこともできる。各基地局装置の再起動にかかる時間を、Performance Measurementに含ませることにより、通信システム１０１内で、再起動にかかる時間の情報を共有することができる。
【００３７】
外部制御装置１０７は、通信システム１０１内の基地局装置のなかで、ＰＣＩの変更が必要な基地局装置が他に存在しないか判断する（ステップＳ１１２）。存在する場合は（ステップＳ１１１のＮｏ）、ステップＳ１０４〜ステップＳ１１０までの処理が繰り返される。ＰＣＩの変更が必要な基地局装置が存在しない場合は（ステップＳ１１１のＹｅｓ）、ＰＣＩの変更処理が終了する。
【００３８】
上記実施形態では、カバレッジに穴を発生させることなく、基地局装置のＰＣＩを変更する方法について説明してきた。続いて、どのような状況でＰＣＩの変更が必要になるかについて図４を用いて説明する。図４は、ＰＣＩの変更が必要となる状況を示す説明図である。
【００３９】
図４（ａ）には、基地局装置のセルの配置例が記載されている。図４（ａ）に示されている３６個の四角形がそれぞれ、基地局装置のセルを表している。セルごとに基地局装置が存在する。セル内に示されている数字は、セルに割り当てられたＰＣＩである。ＬＴＥシステムのＥ−ＵＴＲＡＮで使用できるＰＣＩの総数は５０４個であるが、ここでは、説明の便宜上、使用可能なＰＣＩの数は９個であるとする。１〜９までのＰＣＩをそれぞれ有するセルで論理エリアを構成し、図４（ａ）には、例えば、太線で囲まれた４つの論理エリアが存在することになる。
【００４０】
通話品質の安定等を目的として、図４（ｂ）のように、中央に新たな基地局を建設する必要が生じたとする。新規基地局装置に割り当てられるＰＣＩは、上記の（１）及び（２）の２つの条件を満たす必要があるが、新規基地局装置の隣接基地局装置のＰＣＩ（１、４、５、６）と隣接基地局装置の更なる隣接基地局装置のＰＣＩ（２、３、７、８、９）とに既に１〜９が割り当てられている。そのため、新規基地局装置に（１）及び（２）の２つの条件を満たすＰＣＩを割り当てるためには、既に他のセルに割り当てられているＰＣＩを変更する必要がある。
【００４１】
ここで、一例として、図４（ｂ）のＡ〜Ｈが付されたセルのＰＣＩを変更することにする。具体的には、セルＡとセルＥとのＰＣＩが入れ替わるように、セルＡのＰＣＩを９から５に変更し、セルＥのＰＣＩを５から９に変更する。同様にして、セルＢとセルＦとのＰＣＩを、セルＣとセルＧとのＰＣＩを、セルＤとセルＨとのＰＣＩをそれぞれ入れ替える。Ａ〜Ｈの各セルのＰＣＩを変更する際には、再起動前に、変更するセルの隣接基地局装置は送信電力を上げておく。これにより、カバレッジに穴を発生させることなくＰＣＩの変更が可能となる。Ａ〜Ｈの各セルのＰＣＩの変更後、新規基地局装置にＰＣＩ「９」を割り当てる。よって、各セルのＰＣＩは図４（ｃ）のようになる。新規基地局装置の設置に伴い、論理エリアは変更され、図４（ｃ）のように４つの論理エリアが新規基地局装置を共有する形となっている。四隅に位置するセル（全てＰＣＩは９）は、図４（ｃ）の４つの論理エリアとは異なる論理エリアに属することになる。以上のように、新規基地局装置にＰＣＩを割り当てる際に、（１）及び（２）の条件を満たすＰＣＩが存在しない場合には、既存の基地局装置のＰＣＩを変更する必要がでてくる。
【００４２】
このように本実施形態では、通信システム１０１は、基地局装置１０３のＰＣＩ（識別番号）が変更される場合、隣接基地局装置１０５に対して、隣接基地局装置１０５の通信エリアが基地局装置１０３の通信エリアを覆うまで隣接基地局装置１０５の送信電力を前記識別番号の変更前に上げるよう指示する外部制御装置１０７（送信電力制御部を有する制御装置）を有し、隣接基地局装置１０５は、当該指示によって自局の送信電力を上げる。ＰＣＩを変更するために、基地局装置１０３が再起動すると、基地局装置１０３が受け持っていた通信エリアは、通信不可能になる。しかし、隣接基地局装置１０５がＰＣＩの変更前に送信電力を上げ、隣接基地局装置１０５の通信エリアを基地局装置１０３の通信エリアまで拡大しておくことにより、基地局装置１０３の再起動に伴う通信不能エリアの発生を防ぐことができる。つまり、カバレッジに穴を発生させることなく、ＰＣＩの変更を行うことが可能である。
【００４３】
また、本実施形態では、基地局装置１０３は、自局のＰＣＩが変更されると運転を停止し、外部制御装置１０７は、基地局装置１０３のＰＣＩが変更された場合に、基地局装置１０３に対して、運転を再開するよう指示し、かつ、隣接基地局装置１０５に対して、隣接基地局１０５の送信電力を元に戻すよう指示する。基地局装置１０３のＰＣＩが変更され、基地局装置１０３の運転が再開された後に、隣接基地局１０５の送信電力が元に戻るので、カバレッジに穴が空くことなく、また隣接基地局１０５の送信電力を必要以上に消費することが避けられる。
【００４４】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部材、各手段、各ステップ等に含まれる機能等は論理的に矛盾しないように再配置可能であり、複数の手段やステップ等を１つに組み合わせたり、或いは分割したりすることが可能である。
【００４５】
上述した本発明の実施形態の説明では、基地局装置及び隣接基地局装置を制御する請求項記載の送信電力制御部を、基地局装置及び隣接基地局装置とは別個の外部制御装置の構成要素であるとして説明したが、送信電力制御部を基地局装置及び隣接基地局装置の双方、又はいずれか一方の内部に設けて、本発明を実現することもできる。この場合、ＰＣＩの変更が必要な基地局装置は、Ｘ２インターフェースを用いた基地局間通信により隣接基地局装置にＰＣＩを変更する旨を通知するための情報を送信する。この情報を受けた隣接基地局装置は、それぞれ送信電力を上げ、送信電力の引き上げが完了すると、その旨を示す情報を基地局装置に送信する。基地局装置は、ＰＣＩ変更のための再起動を行い、新たなＰＣＩで運転を再開した後、隣接基地局装置に送信電力の引き下げを指示するための情報を送信する。
【００４６】
また、上述した本発明の実施形態の説明では、外部制御装置（送信電力制御部）が、通信不能エリアを発生させることなくＰＣＩを変更するための機能を備えているものとして記載したが、かかる機能は、所定の制御チャネル（送信電力制御手段）を用いた情報のやりとりにより実現される。
【符号の説明】
【００４７】
１０１  通信システム
１０３  基地局装置
１０５  隣接基地局装置
１０７  外部制御装置
【図１】
0005523867.tif 000002
【図２】
0005523867.tif 000003
【図３】
0005523867.tif 000004
【図４】
0005523867.tif 000005